(57)【特許請求の範囲】
【請求項１】
発光指針（１３０）に光を入射する複数の光源（１４０）が指針軸（Ｄｂ）の軸周りに配置され、ステップモータによって前記指針軸が回動されるようにした計器であって、
前記ステップモータは、
ヨーク（Ｙ）並びに第１及び第２のコイル素子（Ｃａ、Ｃｂ）を有するステータ（Ｓ）と、マグネットロータ（Ｒ）とを備え、
前記ヨークは、第１ヨーク部（４０）と、この第１ヨーク部から二股状に延出する第２及び第３のヨーク部（５０、６０）とでもって、環状に形成されており、
前記第１ヨーク部は、長手状連結部（４１）と、この連結部の長手方向両端から延出する両腕部（４２、４３）とを備え、
前記第２ヨーク部は、前記両腕部の一方（４３）の内壁（４３ａ）に向けて延出する支持ロッド（５４）を有するとともに、前記第３ヨーク部は、前記両腕部の他方（４２）の内壁（４２ａ）に向けて延出する支持ロッド（６４）を有しており、
前記マグネットロータは、その外周面にて、前記第１ヨーク部の連結部及び両腕部の各内壁並びに前記両支持ロッドの各先端部に対向するように前記ヨーク内に回転可能に支持されており、
前記第１コイル素子（Ｃａ）は、前記第２ヨーク部の支持ロッドに同軸的に支持される筒状ボビン（７０）と、このボビンにその軸方向両端部（７０ｂ、７０ｃ）の間にてソレノイド状に巻装されて前記マグネットロータ及び前記ヨークと共に磁気回路を形成するコイル（９０）とを有するとともに、前記第２コイル素子（Ｃｂ）は、前記第３ヨーク部の支持ロッドに同軸的に支持される筒状ボビン（１００）と、このボビンにその軸方向両端部（１００ｂ、１００ｃ）の間にてソレノイド状に巻装されて前記マグネットロータ及び前記ヨークと共に磁気回路を形成するコイル（１２０）とを有しており、
前記第１コイル素子のボビンは、軸方向両端部のうち前記マグネットロータの外周面から遠い側の軸方向一端部に２つのターミナル部（７１ａ）を有するとともに軸方向他端部に２つのターミナル部（７２ａ）を有し、この第１コイル素子のボビンにおいて、前記軸方向一端部の２つのターミナル部と前記軸方向他端部の２つのターミナル部は、前記ボビンの軸方向で前記ボビンの外側に向けて互いに反対方向に突出しており、
前記第２コイル素子のボビンは、軸方向両端部のうち前記マグネットロータの外周面から遠い側の軸方向一端部に２つのターミナル部（１０１ａ）を有するとともに軸方向他端部に２つのターミナル部（１０２ａ）を有し、この第２コイル素子のボビンにおいて、前記軸方向一端部の２つのターミナル部と前記軸方向他端部の２つのターミナル部は、前記ボビンの軸方向で前記ボビンの外側に向けて互いに反対方向に突出しており、
前記第１ヨーク部の一方の腕部の内壁は前記第２ヨーク部の支持ロッドの軸に直角な平面状の内壁であり、前記第１ヨーク部の他方の腕部の内壁は前記第３ヨーク部の支持ロッドの軸に直角な平面状の内壁であることを特徴とする計器。
【請求項２】
前記マグネットロータの軸が前記指針軸となっており、
前記第１コイル素子において、前記コイルは、その両端子部にて、当該第１コイル素子のボビンの前記軸方向一端部の２つのターミナル部に設けた両ターミナル（８０）に接続されるとともに、前記第２コイル素子において、前記コイルは、その両端子部にて、当該第２コイル素子のボビンの前記軸方向一端部の２つのターミナル部に設けた両ターミナル（１１０）に接続されていることを特徴とする請求項１に記載の計器。
【請求項３】
発光指針（１３０）に光を入射する複数の光源（１４０）が指針軸（Ｄｂ）の軸周りに配置され、ステップモータによって前記指針軸が回動されるようにした計器であって、
前記ステップモータは、
ヨーク（Ｙ）並びに第１及び第２のコイル素子（Ｃａ、Ｃｂ）を有するステータ（Ｓ）と、マグネットロータ（Ｒ）と、減速歯車列（Ｇ）とを備え、
前記ヨークは、第１ヨーク部（４０）と、この第１ヨーク部から二股状に延出する第２及び第３のヨーク部（５０、６０）とでもって、環状に形成されており、
前記第１ヨーク部は、長手状連結部（４１）と、この連結部の長手方向両端から延出する両腕部（４２、４３）とを備え、
前記第２ヨーク部は、前記両腕部の一方（４３）の内壁（４３ａ）に向けて延出する支持ロッド（５４）を有するとともに、前記第３ヨーク部は、前記両腕部の他方（４２）の内壁（４２ａ）に向けて延出する支持ロッド（６４）を有しており、
前記マグネットロータは、その外周面にて、前記第１ヨーク部の連結部及び両腕部の各内壁並びに前記両支持ロッドの各先端部に対向するように前記ヨーク内に回転可能に支持されており、
前記減速歯車列は、前記マグネットロータとその軸にて同軸的に支持される入力段歯車（Ｇ１）と、前記マグネットロータの軸に平行な出力軸に同軸的に支持される出力段歯車（Ｇ３）とを備え、
前記出力段歯車の出力軸が前記指針軸となっており、
前記第１コイル素子（Ｃａ）は、前記第２ヨーク部の支持ロッドに同軸的に支持される筒状ボビン（７０）と、このボビンにその軸方向両端部（７０ｂ、７０ｃ）の間にてソレノイド状に巻装されて前記マグネットロータ及び前記ヨークと共に磁気回路を形成するコイル（９０）とを有するとともに、前記第２コイル素子（Ｃｂ）は、前記第３ヨーク部の支持ロッドに同軸的に支持される筒状ボビン（１００）と、このボビンにその軸方向両端部（１００ｂ、１００ｃ）の間にてソレノイド状に巻装されて前記マグネットロータ及び前記ヨークと共に磁気回路を形成するコイル（１２０）とを有しており、
前記第１コイル素子において、前記コイルは、その一側端子部にて、前記第１コイル素子のボビンの軸方向両端部の一方のうち前記指針軸から遠く離れたターミナル部（７１ａ）に設けたターミナル（８０）に接続され、その他側端子部にて、前記第１コイル素子のボビンの軸方向両端部の他方のうち前記指針軸から遠く離れた他のターミナル部（７２ａ）に設けた他のターミナル（８０）に接続され、前記ターミナル部と前記他のターミナル部は、前記ボビンの軸方向で前記ボビンの外側に向けて互いに反対方向に突出しており、
前記第２コイル素子において、前記コイルは、その一側端子部にて、前記第２コイル素子のボビンの軸方向両端部の一方のうち前記指針軸から遠く離れたターミナル部（１０１ａ）に設けたターミナル（１１０）に接続され、その他側端子部にて、前記第２コイル素子のボビンの軸方向両端部の他方のうち前記指針軸から遠く離れた他のターミナル部（１０２ａ）に設けた他のターミナル（１１０）に接続され、前記ターミナル部と前記他のターミナル部は、前記ボビンの軸方向で前記ボビンの外側に向けて互いに反対方向に突出しており、
前記第１ヨーク部の一方の腕部の内壁は前記第２ヨーク部の支持ロッドの軸に直角な平面状の内壁であり、前記第１ヨーク部の他方の腕部の内壁は前記第３ヨーク部の支持ロッドの軸に直角な平面状の内壁であることを特徴とする計器。
【請求項４】
前記第１コイル素子は、そのボビンにて、前記第１ヨーク部の一方の腕部の平面状内壁と前記第２ヨーク部の支持ロッドの先端部との間にこの支持ロッドと同軸的に位置するように嵌め込まれた後に、当該支持ロッドに沿い外方から嵌装されてこの支持ロッドに同軸的に支持されたものであり、
一方、前記第２コイル素子は、そのボビンにて、前記第１ヨーク部の他方の腕部の平面状内壁と前記第３ヨーク部の支持ロッドの先端部との間にこの支持ロッドと同軸的に位置するように嵌め込まれた後に、当該支持ロッドに沿い外方から嵌装されてこの支持ロッドに同軸的に支持されたものであることを特徴とする請求項１ないし３のいずれか１つに記載の計器。
【請求項５】
目盛り盤（１０）と、
この目盛り盤にその裏面側にて並行に設けた配線板（２０）と、
この配線板の裏面側に設けられた内機本体（Ｄａ）とを備え、
前記内機本体は、前記ステップモータを有しており、
前記指針軸は、前記内機本体から前記配線板及び目盛り盤の各貫通穴部（２１、１１）を通り回動可能に延出しており、
前記発光指針は、前記指針軸の先端部に回動基部（１３１）にて支持されて前記目盛り盤の表面に並行に位置しており、
前記複数の光源は、前記指針軸の軸周り近傍にて前記配線板の表面に間隔をおいて配設されて前記配線板の貫通穴部を通り前記発光指針の回動基部に光を入射することを特徴する請求項１ないし４のいずれか１つに記載の計器。
【発明の詳細な説明】
【０００１】
【発明の属する技術分野】
本発明は、ステップモータを駆動源として用いる計器に関するものである。
【０００２】
【従来の技術】
従来、例えば、乗用車用計器においては、その指針の駆動源としてステップモータを用いたものがある。ここで、ステップモータは、ステータと、マグネットロータとにより構成される。そして、このステップモータが、例えば、２相式のものであるとすれば、ステータは、マグネットロータと共に磁気回路を形成する環状のヨーク及び両コイル素子を有する。
【０００３】
【発明が解決しようとする課題】
ところで、上記計器では、そのステップモータのステータは、図９及び図１０にて示すような環状のヨーク１と、一対のコイル素子２（図１０では一方のコイル素子のみを示す）とを備えている。ヨーク１は、ヨーク部１ａと、このヨーク部１ａから二股状に延出する両ヨーク部１ｂ、１ｃとにより構成されており、当該両ヨーク部１ｂ、１ｃは、指針を支持する指針軸の両側に位置している。
【０００４】
ここで、指針が発光指針である場合、この発光指針に光を入射する複数の光源を指針軸の軸周りに容易に配置できるようにするためには、コイル素子２を、両ヨーク部１ｃ内に支持するとともに、コイル素子２の両ターミナルを、図１０にて各符号２ａで例示するごとく、ボビン２ｂの軸方向両端部の図１０にて各図示下部に設けるようにする必要がある。
【０００５】
しかし、このように両ターミナル２ａをボビン２ｂに設けようとすると、ボビン２ｂの軸方向長さが、ボビンの軸方向一端部に両ターミナル２ａを設ける場合に比べて、長くなってしまう。従って、コイル素子２をヨーク部１ｃの支持ロッド１ｄに支持するために、図１０にて示すようにコイル素子２をヨーク１内に嵌め込もうとするとき、ヨーク部１ａの内壁１ｅが図９及び図１０にて示すごとく円弧面状に形成されていると、ボビン２ｂの軸方向両端部の一方が、ヨーク部１ａの内壁１ｅと干渉し、ヨーク１内にはめ込めないという不具合が生ずる。
【０００６】
これに対しては、ボビン２ｂの軸方向長さを短くすることが考えられるが、この場合には、ボビン２ｂに対する巻き線のコイルとしての巻き数が不足するという不具合を招く。
【０００７】
そこで、本発明は、以上のようなことに対処するため、ステータのヨークの形状に工夫を凝らし、コイル素子のコイルとしての巻き線の巻き数を適正に確保しつつ、当該コイル素子のヨークに対する組み付けを円滑にするようにしたステップモータを用いる計器を提供することを目的とする。
【０００８】
【課題を解決するための手段】
上記課題の解決にあたり、請求項１に記載の発明は、発光指針（１３０）に光を入射する複数の光源（１４０）が指針軸（Ｄｂ）の軸周りに配置され、ステップモータによって指針軸が回動されるようにした計器であって、ステップモータは、ヨーク（Ｙ）並びに第１及び第２のコイル素子（Ｃａ、Ｃｂ）を有するステータ（Ｓ）と、マグネットロータ（Ｒ）とを備え、ヨークは、第１ヨーク部（４０）と、この第１ヨーク部から二股状に延出する第２及び第３のヨーク部（５０、６０）とでもって、環状に形成されており、第１ヨーク部は、長手状連結部（４１）と、この連結部の長手方向両端から延出する両腕部（４２、４３）とを備え、第２ヨーク部は、両腕部の一方（４３）の内壁（４３ａ）に向けて延出する支持ロッド（５４）を有するとともに、第３ヨーク部は、両腕部の他方（４２）の内壁（４２ａ）に向けて延出する支持ロッド（６４）を有しており、マグネットロータは、その外周面にて、第１ヨーク部の連結部及び両腕部の各内壁並びに両支持ロッドの各先端部に対向するようにヨーク内に回転可能に支持されており、第１コイル素子（Ｃａ）は、第２ヨーク部の支持ロッドに同軸的に支持される筒状ボビン（７０）と、このボビンにその軸方向両端部（７０ｂ、７０ｃ）の間にてソレノイド状に巻装されてマグネットロータ及びヨークと共に磁気回路を形成するコイル（９０）とを有するとともに、第２コイル素子（Ｃｂ）は、第３ヨーク部の支持ロッドに同軸的に支持される筒状ボビン（１００）と、このボビンにその軸方向両端部（１００ｂ、１００ｃ）の間にてソレノイド状に巻装されてマグネットロータ及びヨークと共に磁気回路を形成するコイル（１２０）とを有しており、第１コイル素子のボビンは、軸方向両端部のうちマグネットロータの外周面から遠い側の軸方向一端部に２つのターミナル部（７１ａ）を有するとともに軸方向他端部に２つのターミナル部（７２ａ）を有し、この第１コイル素子のボビンにおいて、軸方向一端部の２つのターミナル部と軸方向他端部の２つのターミナル部は、ボビンの軸方向でボビンの外側に向けて互いに反対方向に突出しており、第２コイル素子のボビンは、軸方向両端部のうちマグネットロータの外周面から遠い側の軸方向一端部に２つのターミナル部（１０１ａ）を有するとともに軸方向他端部に２つのターミナル部（１０２ａ）を有し、この第２コイル素子のボビンにおいて、軸方向一端部の２つのターミナル部と軸方向他端部の２つのターミナル部は、ボビンの軸方向でボビンの外側に向けて互いに反対方向に突出しており、第１ヨーク部の一方の腕部の内壁は第２ヨーク部の支持ロッドの軸に直角な平面状の内壁であり、第１ヨーク部の他方の腕部の内壁は第３ヨーク部の支持ロッドの軸に直角な平面状の内壁であることを特徴とする。
【０００９】
このように、第１ヨーク部の両腕部の内壁は平面状に形成されているため、第１コイル素子のボビンの軸方向端部と第１ヨーク部の一方の腕部との干渉を招くことなく、第１コイル素子を第１ヨーク部の一方の腕部と第２ヨーク部との間に確実にかつ円滑に嵌め込むことができ、また、第２コイル素子のボビンの軸方向端部と第１ヨーク部の他方の腕部との干渉を招くことなく、第２コイル素子を第１ヨーク部の他方の腕部と第３ヨーク部との間に確実にかつ円滑に嵌め込むことができる。然る後は、第１コイル素子をそのボビンにて第２ヨーク部の支持ロッドに同軸的に外方から嵌装し、第２コイル素子をそのボビンにて第３ヨーク部の支持ロッドに同軸的に外方から嵌装することで、第１及び第２の各コイル素子を第２及び第３のヨーク部内に支持することができる。
【００１０】
ここで、上述のように第１ヨーク部の両腕部の各内壁を平面状に形成したので、各ボビンの軸方向長さを適正に確保することができ、その結果、各コイル素子のコイルとしての巻き線の巻き数も適正に確保し得る。
【００１１】
また、請求項２に記載の発明では、請求項１に記載の計器において、マグネットロータの軸が指針軸となっており、第１コイル素子において、コイルは、その両端子部にて、当該第１コイル素子のボビンの軸方向一端部の２つのターミナル部に設けた両ターミナル（８０）に接続されるとともに、第２コイル素子において、コイルは、その両端子部にて、当該第２コイル素子のボビンの軸方向一端部の２つのターミナル部に設けた両ターミナル（１１０）に接続されていることを特徴とする。
また、請求項３に記載の発明では、発光指針（１３０）に光を入射する複数の光源（１４０）が指針軸（Ｄｂ）の軸周りに配置され、ステップモータによって指針軸が回動されるようにした計器であって、ステップモータは、ヨーク（Ｙ）並びに第１及び第２のコイル素子（Ｃａ、Ｃｂ）を有するステータ（Ｓ）と、マグネットロータ（Ｒ）と、減速歯車列（Ｇ）とを備え、ヨークは、第１ヨーク部（４０）と、この第１ヨーク部から二股状に延出する第２及び第３のヨーク部（５０、６０）とでもって、環状に形成されており、第１ヨーク部は、長手状連結部（４１）と、この連結部の長手方向両端から延出する両腕部（４２、４３）とを備え、第２ヨーク部は、両腕部の一方（４３）の内壁（４３ａ）に向けて延出する支持ロッド（５４）を有するとともに、第３ヨーク部は、両腕部の他方（４２）の内壁（４２ａ）に向けて延出する支持ロッド（６４）を有しており、マグネットロータは、その外周面にて、第１ヨーク部の連結部及び両腕部の各内壁並びに両支持ロッドの各先端部に対向するようにヨーク内に回転可能に支持されており、減速歯車列は、マグネットロータとその軸にて同軸的に支持される入力段歯車（Ｇ１）と、マグネットロータの軸に平行な出力軸に同軸的に支持される出力段歯車（Ｇ３）とを備え、出力段歯車の出力軸が指針軸となっており、第１コイル素子（Ｃａ）は、第２ヨーク部の支持ロッドに同軸的に支持される筒状ボビン（７０）と、このボビンにその軸方向両端部（７０ｂ、７０ｃ）の間にてソレノイド状に巻装されてマグネットロータ及びヨークと共に磁気回路を形成するコイル（９０）とを有するとともに、第２コイル素子（Ｃｂ）は、第３ヨーク部の支持ロッドに同軸的に支持される筒状ボビン（１００）と、このボビンにその軸方向両端部（１００ｂ、１００ｃ）の間にてソレノイド状に巻装されてマグネットロータ及びヨークと共に磁気回路を形成するコイル（１２０）とを有しており、第１コイル素子において、コイルは、その一側端子部にて、第１コイル素子のボビンの軸方向両端部の一方のうち指針軸から遠く離れたターミナル部（７１ａ）に設けたターミナル（８０）に接続され、その他側端子部にて、第１コイル素子のボビンの軸方向両端部の他方のうち指針軸から遠く離れた他のターミナル部（７２ａ）に設けた他のターミナル（８０）に接続され、ターミナル部と他のターミナル部は、ボビンの軸方向でボビンの外側に向けて互いに反対方向に突出しており、第２コイル素子において、コイルは、その一側端子部にて、第２コイル素子のボビンの軸方向両端部の一方のうち指針軸から遠く離れたターミナル部（１０１ａ）に設けたターミナル（１１０）に接続され、その他側端子部にて、第２コイル素子のボビンの軸方向両端部の他方のうち指針軸から遠く離れた他のターミナル部（１０２ａ）に設けた他のターミナル（１１０）に接続され、ターミナル部と他のターミナル部は、ボビンの軸方向でボビンの外側に向けて互いに反対方向に突出しており、第１ヨーク部の一方の腕部の内壁は第２ヨーク部の支持ロッドの軸に直角な平面状の内壁であり、第１ヨーク部の他方の腕部の内壁は第３ヨーク部の支持ロッドの軸に直角な平面状の内壁であることを特徴とする。
【００１２】
このように、ステップモータが減速歯車列を有するものであっても、請求項１に記載の発明と実質的に同様の作用効果を達成できる。
【００１３】
また、請求項４に記載の発明によれば、請求項１ないし３のいずれか１つに記載の計器において、第１コイル素子は、そのボビンにて、第１ヨーク部の一方の腕部の平面状内壁と第２ヨーク部の支持ロッドの先端部との間にこの支持ロッドと同軸的に位置するように嵌め込まれた後に、当該支持ロッドに沿い外方から嵌装されてこの支持ロッドに同軸的に支持され、一方、第２コイル素子は、そのボビンにて、第１ヨーク部の他方の腕部の平面状内壁と第３ヨーク部の支持ロッドの先端部との間にこの支持ロッドと同軸的に位置するように嵌め込まれた後に、当該支持ロッドに沿い外方から嵌装されてこの支持ロッドに同軸的に支持されることを特徴とする。これにより、請求項１ないし３に記載の発明の作用効果をより一層確実に達成できる。
【００１４】
また、請求項５に記載の発明は、請求項１ないし４のいずれか１つに記載の計器において、目盛り盤（１０）と、この目盛り盤にその裏面側にて並行に設けた配線板（２０）と、この配線板の裏面側に設けられた内機本体（Ｄａ）とを備え、内機本体は、ステップモータを有しており、指針軸は、内機本体から配線板及び目盛り盤の各貫通穴部（２１、１１）を通り回動可能に延出しており、発光指針は、指針軸の先端部に回動基部（１３１）にて支持されて目盛り盤の表面に並行に位置しており、複数の光源は、指針軸の軸周り近傍にて配線板の表面に間隔をおいて配設されて配線板の貫通穴部を通り発光指針の回動基部に光を入射することを特徴とする。
【００１５】
これにより、請求項１ないし４のいずれか１つに記載の発明の作用効果を達成し得る計器の提供が可能となる。
【００１６】
なお、上記各手段の括弧内の符号は、後述する実施形態に記載の具体的手段との対応関係を示すものである。
【００１７】
【発明の実施の形態】
以下、本発明の一実施形態を図面により説明する。図１は本発明に係る乗用車用計器の一例を示しており、この計器は、当該乗用車の車室内に設けたインストルメントパネルに配設されている。
【００１８】
当該計器は、図１にて示すごとく、目盛り盤１０と、この目盛り盤１０にその裏面側にて並行に位置する配線板２０と、回動内機Ｄとを備えている。回動内機Ｄは、内機本体Ｄａと、この内機本体Ｄａから配線板２０の貫通穴部２１及び目盛り盤１０の貫通穴部１１を通り回動可能に延出する指針軸Ｄｂとにより構成されている。ここで、配線板２０は、図１にて示すごとく、内機本体Ｄａの上端面にこれに沿うように支持されている。
【００１９】
内機本体Ｄａは、図１にて示すように、ケーシング３０を備えており、このケーシング３０は、図１乃至図３から分かるように、断面コ字状の上下両側ケーシング部材３０ａ、３０ｂをその各開口部にて組み合わせて構成されている。当該ケーシング３０は、そのケーシング部材３０ａの上壁３１（以下、ケーシング３０の上壁３１ともいう）にて、複数のねじにより配線板２０にその裏面側から締着されている。
【００２０】
また、内機本体Ｄａは、図２にて示すごとく、ケーシング３０内に組み付けたステップモータＭ及び減速歯車列Ｇを備えている。ステップモータＭは、ステータＳと、マグネットロータＲとにより構成されている。ステータＳは、環状ヨークＹと、両コイル素子Ｃａ、Ｃｂとを備えており、ヨークＹは、ケーシング３０内にその底壁３２（以下、ケーシング３０の底壁３２ともいう）に沿い移動不能に収容固定されている。
【００２１】
また、ヨークＹは、図２にて示すごとく、略コ字状の各ヨーク部４０乃至６０からなるもので、両ヨーク部５０、６０は、図２及び図４にて示すごとく、ヨーク部４０から所定の開き角度（例えば、９０度）にて二股状に延出するように一体に形成されている。
【００２２】
ヨーク部４０は、連結部４１の長手方向両端の各々から各腕部４２、４３をそれぞれ延出することで略コ字状に形成されている。連結部４１は、突起４１ｂを備えており、この突起４１ｂは、断面四角形状にて、連結部４１の内壁４１ａの長手方向中央からこの内壁４１ａに直角に突出している。
【００２３】
各腕部４２、４３は、図２及び図４にて示すごとく、連結部４１の内壁４１ａの長手方向中央に対する法線を基準に互いに対称的な形状を有している。腕部４２の内壁４２ａは平面状に形成されており、この平面状内壁４２ａは、ヨーク部６０の支持ロッド６４（後述する）の軸方向に直角に位置するように、ヨーク部６０に対向している。当該腕部４２は、突起４２ｂを備えており、この突起４２ｂは、断面四角形状にて、腕部４２の内壁４２ａの長手方向中央から当該内壁４２ａに直角に突出し支持ロッド６４にこれと同軸的に対向している。
【００２４】
一方、腕部４３の内壁４３ａは平面状に形成されており、この平面状内壁４３ａは、ヨーク部５０の支持ロッド５４（後述する）の軸方向に直角に位置するように、ヨーク部５０に対向している。当該腕部４３は、突起４３ｂを備えており、この突起４３ｂは、断面四角形状にて、腕部４３の内壁４３ａの長手方向中央から当該内壁４３ａに直角に突出し支持ロッド５４にこれと同軸的に対向している。なお、各突起４１ｂ、４２ｂ、４３ｂは、ヨーク部４０の開口部にて各腕部４２、４３に形成した各突起４２ｃ、４３ｃ及び両ヨーク部５０、６０に共通の突起５３ａ（後述する）と共に、ヨークＹの各磁極（以下、各磁極４１ｂ、４２ｂ、４３ｂ、４２ｃ、４３ｃ、５３ａともいう）を構成する。また、磁極４２ｂの腕部４２の長手方向に沿う幅は、磁極４３ｂの腕部４３の長手方向に沿う幅に等しい。
【００２５】
ヨーク部５０は、連結部５１の長手方向両端の各々から各腕部５２、５３をそれぞれ延出することで略コ字状に形成されている。連結部５１は、支持ロッド５４を備えており、この支持ロッド５４は、断面四角状にて、連結部５１の平面状内壁５１ａの長手方向中央から突起４３ｂに向け延出している。ここで、支持ロッド５４の断面形状は、突起４３ｂの断面四角形状と同一となっており、支持ロッド５４の先端面は、当該支持ロッド５４の軸方向からみて突起４３ｂの先端面と重畳的に一致する。
【００２６】
各腕部５２、５３は、図４にて示すごとく、連結部５１の内壁５１ａの長手方向中央に対する法線（即ち、支持ロッド５４の軸）を基準に対称的な形状を有しており、腕部５２は、その先端部にて、ヨーク部４０の腕部４２の先端部と一体になっている。
【００２７】
ヨーク部６０は、連結部６１の長手方向両端の各々から各腕部６２、６３をそれぞれ延出することで略コ字状に形成されている。連結部６１は、支持ロッド６４を備えており、この支持ロッド６４は、断面四角状にて、連結部６１の平面状内壁６１ａの長手方向中央から突起４２ｂに向け延出している。ここで、支持ロッド６４の断面形状は、突起４２ｂの断面四角形状と同一となっており、支持ロッド６４の先端面は、当該支持ロッド６４の軸方向からみて突起４２ｂの先端面と重畳的に一致する。
【００２８】
各腕部６２、６３は、図４にて示すごとく、連結部６１の内壁６１ａの長手方向中央に対する法線（即ち、支持ロッド６４の軸）を基準に対称的な形状を有しており、腕部６２は、その先端部にて、ヨーク部４０の腕部４３の先端部と一体になっている。また、腕部６３は、その先端部にて、ヨーク部５０の腕部５３の先端部と一体となっている。ここで、両支持ロッド５４、６４の各軸は、上記所定の開き角度にて交差しており、これら両支持ロッド５４、６４の各先端部は、各磁極４１ｂ、４２ｂ、４３ｂ、４２ｃ、４３ｃ、５３ａと共にヨークＹの磁極を形成する。また、各支持ロッド５４、６４の先端部及び各磁極４１ｂ、４２ｂ、４３ｂ、４２ｃ、４３ｃ、５３ａは、その先端面にて、マグネットロータＲの外周面に沿い円周状に位置する。なお、両腕部６２、５３の連結先端部には、上記突起５３ａが形成されている。
【００２９】
両コイル素子Ｃａ、Ｃｂは、共に、直方体形状のもので、これら各コイル素子Ｃａ、Ｃｂは、それぞれ、各ヨーク部５０、６０内に図２にて示すごとく収容支持されている。
【００３０】
コイル素子Ｃａは、ボビン７０と、両ピン状ターミナル８０と、ソレノイド状コイル９０とにより構成されている。ボビン７０は、電気絶縁性樹脂により断面四角形状にて段付き筒状に形成されており、このボビン７０は、巻装部７０ａの軸方向両端に各保持部７０ｂ、７０ｃをそれぞれ同軸的に形成して構成されている。なお、ボビン７０の中空部は、この中空部内に支持ロッド５４を相対回動不能に挿通し得る程度に当該支持ロッド５４の断面形状と相似な断面四角形状となっている。
【００３１】
両保持部７０ｂ、７０ｃは、四角環状のもので、保持部７０ｂの上下両側対向壁部７１（図２では上側対向壁部７１のみを示す）は、その各長手方向（保持部７０ｂの軸に直交する方向）の中央部を上下両側対向壁部７１の各外縁からコ字状に切り欠くことで、両ターミナル部７１ａの間にコ字状逃げ部７１ｂを形成して構成されている。また、保持部７０ｃの上下両側対向壁部７２（図２では上側対向壁部７２のみを示す）は、その各長手方向（保持部７０ｂの軸に直交する方向）の中央部を上下両側対向壁部７２の各外縁からコ字状に切り欠くことで、両ターミナル部７２ａ（図２では、一方のターミナル部７２ａのみを示す）の間にコ字状逃げ部７２ｂを形成して構成されている。
【００３２】
このように構成したボビン７０は、その中空部にて、ヨーク部５０の支持ロッド５４に外方から同軸的に嵌装されており、このボビン７０は、その保持部７０ｂにて、ヨーク部５０の連結部５１に当接し、保持部７０ｃにて、ヨーク部４０の腕部４３に対向している。但し、ボビン７０の両保持部７０ｂ、７０ｃの各長手方向幅は、ヨーク部４０の平面状内壁４３ａの長手方向幅よりも狭い。また、保持部７０ｂの逃げ部７１ｂ及び保持部７０ｃの逃げ部７２ｂのボビン７０の軸に直角な方向の各幅は、磁極４３ｂの幅よりも広い。
【００３３】
また、両ターミナル８０の一方は、保持部７０ｂの両ターミナル部７１ａのうち図２にて図示左上側ターミナル部７１ａ（両ターミナル部７１ａのうち指針軸Ｄｂの軸からより遠く離れて位置するターミナル部７１ａ）に挿通されて、図１及び図３にて示すごとく、ケーシング３０の上壁３１及び配線板２０を通り延出している。他方のターミナル８０は、保持部７０ｃの両ターミナル部７２ａのうち図２にて図示左上側ターミナル部７２ａ（両ターミナル部７２ａのうち指針軸Ｄｂの軸からより遠く離れて位置するターミナル部７２ａ）に挿通されて、図１及び図３にて示すごとく、ケーシング３０の上壁３１及び配線板２０を通り延出している。
【００３４】
コイル９０は、ボビン７０の巻装部７０ａに同軸的に巻装されており、このコイル９０は、各保持部７０ｂ、７０ｃにより挟持保持されている。このため、巻装部７０ａの外径寸法は、両保持部７０ｂ、７０ｃの外径寸法よりも小さくなっている。また、コイル９０は、その各巻線状端子にて、それぞれ、各ターミナル８０の先端部に巻き付けられている。なお、各ターミナル８０の先端部は、それぞれ、コイル９０の各巻線状端子と共に配線板２０の表面の対応配線部にはんだ付けされている。
【００３５】
コイル素子Ｃｂは、コイル素子Ｃａのボビン７０、両ターミナル８０及びコイル９０にそれぞれ対応するボビン１００、両ピン状ターミナル１１０及びソレノイド状コイル１２０とにより構成されている。ボビン１００は、ボビン７０と同様に構成されており、このボビン１００は、巻装部１００ａの軸方向両端に各保持部１００ｂ、１００ｃをそれぞれ同軸的に形成して構成されている。
【００３６】
両保持部１００ｂ、１００ｃは両保持部７０ｂ、７０ｃと同様に構成されており、保持部１００ｂの上下両側対向壁部１０１（図２では上側対向壁部１０１のみを示す）は、その各長手方向（保持部１００ｂの軸に直交する方向）の中央部を上下両側対向壁部１０１の各外縁からコ字状に切り欠くことで、両ターミナル部１０１ａの間にコ字状逃げ部１０１ｂを形成して構成されている。また、保持部１００ｃの上下両側対向壁部１０２（図２では上側対向壁部１０２のみを示す）は、その各長手方向（保持部１００ｂの軸に直交する方向）の中央部を上下両側対向壁部１０２の各外縁からコ字状に切り欠くことで、両ターミナル部１０２ａ（図２では、一方のターミナル部１０２ａのみを示す）の間にコ字状逃げ部１０２ｂを形成して構成されている。なお、ボビン１００の中空部はボビン７０の中空部と同一の断面形状を有する。
【００３７】
このように構成したボビン１００は、その中空部にて、ヨーク部６０の支持ロッド６４に外方から同軸的に嵌装されており、このボビン１００は、その保持部１００ｂにて、ヨーク部６０の連結部６１に当接し、保持部１００ｃにて、ヨーク部４０の腕部４２に対向している。但し、ボビン１００の両保持部１００ｂ、１００ｃの各長手方向幅は、ヨーク部４０の平面状内壁４２ａの連結部４２の長手方向幅よりも狭い。また、保持部１００ｂの逃げ部１０１ｂ及び保持部１００ｃの逃げ部１０２ｂのボビン１００の軸に直角な方向の各幅は、磁極４２ｂの幅よりも広い。
【００３８】
また、両ターミナル１１０は両ターミナル８０と同様のもので、当該両ターミナル１１０の一方は、保持部１００ｂの両ターミナル部１０１ａのうち図２にて図示左下側ターミナル部１０１ａ（両ターミナル部１０１ａのうち指針軸Ｄｂの軸からより遠く離れて位置するターミナル部１０１ａ）に挿通されて、図１及び図３にて示すごとく、ケーシング３０の上壁３１及び配線板２０を通り延出している。他方のターミナル１１０は、保持部１００ｃの両ターミナル部１０２ａのうち図２にて図示左下側ターミナル部１０２ａ（両ターミナル部１０２ａのうち指針軸Ｄｂの軸からより遠く離れて位置するターミナル部１０２ａ）に挿通されて、図１及び図３にて示すごとく、ケーシング３０の上壁３１及び配線板２０を通り延出している。
【００３９】
コイル１２０は、コイル９０と同様に構成されており、このコイル１２０は、ボビン１００の巻装部１００ａに同軸的に巻装され、各保持部１００ｂ、１００ｃにより挟持保持されている。また、コイル１２０は、その各巻線状端子にて、それぞれ、各ターミナル１２０の先端部に巻き付けられている。なお、各ターミナル１１０の先端部は、それぞれ、コイル１２０の各巻線状端子と共に配線板２０の表面の対応配線部にはんだ付けされている。
【００４０】
以上のように構成した両コイル素子Ｃａ、Ｃｂは、図２にて示すごとく、後述するマグネットロータＲの回転軸Ｒ１と指針軸Ｄｂとの間を径方向に結ぶ線を基準、互いに対称的に位置しており、両コイル素子Ｃａ、Ｃｂの各軸（各ボビン７０、１００の軸）は、マグネットロータＲの回転軸Ｒ１を基準として互いにほぼ直交する位置にある。また、コイル素子Ｃａは、その保持部７０ｃにて、マグネットロータＲの外周面に対向し、一方、コイル素子Ｃｂは、その保持部１００ｃにて、マグネットロータＲの外周面に対向している。
【００４１】
マグネットロータＲは、ヨーク部４０内にて、回転軸Ｒ１に減速歯車列Ｇの入力段側歯車Ｇ１と共に同軸的に支持されている。これにより、マグネットロータＲは、その外周面にて、ヨーク部４０の各磁極４１ｂ、４２ｂ、４３ｂ、４２ｃ、４３ｃ及び両コイル素子Ｃａ、Ｃｂに対向して、各コイル９０、１２０及びヨークＹと共に磁気回路を形成し、両コイル９０、１２０への配線板２０を介する給電のもとに回転する。なお、回転軸Ｒ１は、ケーシング３０の上壁３１と底壁３２との間に回動可能に支持されている。
【００４２】
減速歯車列Ｇは、図２にて示すごとく、上記入力段側歯車Ｇ１の他、各中間側歯車Ｇ２及び出力段側歯車Ｇ３を備えており、出力段側歯車Ｇ３は、指針軸Ｄｂに同軸的に支持されている。入力段歯車Ｇ１は、各中間側歯車Ｇ２を介し、出力段側歯車Ｇ３と噛合している。これにより、減速歯車列Ｇは、マグネットロータＲの回転を歯車Ｇ１から歯車Ｇ３に減速して伝達する。
【００４３】
当該計器は、図１にて示すごとく、発光指針１３０及び複数の光源１４０を備えており、発光指針１３０は、その回動基部１３１にて、指針軸Ｄｂの先端部に支持されて、目盛り盤１０の表面に沿い回動するようになっている。
【００４４】
各光源１４０は、発光ダイオードからなるもので、これら各光源１４０は、指針軸Ｄｂの軸周り近傍にて、目盛り盤１０の貫通穴部１１を通して発光指針１３０の回動基部１３１を臨むように、互いに間隔をおいて、配線板２０の表面に配設されている。これら各光源１４０は、その各端子にて、配線板２０の表面の対応配線部にはんだ付けにより電気的に接続されている。
【００４５】
これにより、各光源１４０は、配線板２０を介し給電されて、発光し、目盛り盤１０の貫通穴部１１を通して発光指針１３０の回動基部１３１内に光を入射する。なお、各光源１４０は、発光ダイオードに限ることなく、例えば、ランプでもよい。
【００４６】
以上のように構成した本実施形態において、両コイル素子Ｃａ、ＣｂのヨークＹに対する組み付け方法について説明する。両コイル素子Ｃａ、Ｃｂのいずれからでもよいが、例えば、コイル素子Ｃａから組み付けを開始する。まず、ケーシング部材３０ａをその底壁３２にて水平状となるように支持する。そして、ヨークＹをケーシング部材３０ａ内にて底壁３２上に沿うように取り付ける。ついで、コイル素子Ｃａを、図５にて示すように、ヨークＹ内のヨーク部４０の腕部４３とヨーク部５０との間に、突起４３ｂと支持ロッド５４と同軸的に位置させるように嵌め込む。
【００４７】
この嵌め込みにあたり、上述のごとく、ヨーク部４０の腕部４３の内壁４３ａは平面状に形成されている。また、この平面状内壁４３ａは、ヨーク部５０の支持ロッド５４の軸方向に直角に位置する。また、突起４３ｂは、支持ロッド５４と同軸的に位置しており、突起４３ｂ側から支持ロッド５４を同軸的にみたとき、突起４３ｂの先端面は支持ロッド５４の先端面と重畳的に一致する。しかも、ボビン７０の両保持部７０ｂ、７０ｃの各長手方向幅は、ヨーク部４０の平面状内壁４３ａの長手方向幅よりも狭い。また、保持部７０ｂの逃げ部７１ｂ及び保持部７０ｃの逃げ部７２ｂのボビン７０の軸に直角な方向の各幅は、磁極４３ｂの幅よりも広い。
【００４８】
このため、上述のような嵌め込みの過程において、ヨーク部５０の支持ロッド５４が、その先端部にて、コイル素子Ｃａのボビン７０における保持部７０ｂの逃げ部７１ｂ内を通り保持部７０ｂと同軸的に位置し、かつ、ヨーク部４０の突起４３ｂが、ボビン７０における保持部７０ｃの逃げ部７２ｂ内を通り保持部７０ｃと同軸的に位置し、保持部７０ｃがその端面にて腕部４３の平面状内壁４３ａに当接する。これにより、腕部４３の内壁部４３ａを平面状に形成したことを前提に、保持部７０ｃと腕部４３との干渉を招くことなく、コイル素子Ｃａをヨーク部４０の腕部４３とヨーク部５０との間に確実にかつ円滑に嵌め込むことができる。
【００４９】
このようにコイル素子Ｃａを嵌め込んだ後は、当該コイル素子Ｃａのボビン７０の中空部は支持ロッド５４と同軸的に位置しており、ボビン７０の中空部の断面形状は支持ロッド５４の断面形状と上記相似な形状を有する。このため、ボビン７０の中空部内に支持ロッド５４を挿入するように、コイル素子Ｃａを支持ロッド５４の軸方向に沿い移動させれば、当該コイル素子Ｃａは、図６にて示すごとく、ボビン７０にて、ヨーク部５０内において支持ロッド５４により同軸的にかつ相対回動不能に支持される。
【００５０】
ここで、上述のようにヨーク部４０の腕部４３の内壁４３ａを平面状に形成したので、ボビン７０の軸方向長さを適正に確保することができ、その結果、コイル素子Ｃａのコイル９０としての巻き線の巻き数も適正に確保し得る。
【００５１】
次に、コイル素子Ｃｂを、図７にて示すように、ヨークＹ内のヨーク部４０の腕部４２とヨーク部６０との間に、突起４２ｂと支持ロッド６４と同軸的に位置させるように嵌め込む。
【００５２】
この嵌め込みにあたり、上述のごとく、ヨーク部４０の腕部４２の内壁４２ａは平面状に形成されている。また、この平面状内壁４２ａは、ヨーク部６０の支持ロッド６４の軸方向に直角に位置する。また、突起４２ｂは、支持ロッド６４と同軸的に位置しており、突起４２ｂ側から支持ロッド６４を同軸的にみたとき、突起４２ｂの先端面は支持ロッド６４の先端面と重畳的に一致する。しかも、ボビン１００の両保持部１００ｂ、１００ｃの各長手方向幅は、ヨーク部４０の平面状内壁４２ａの長手方向幅よりも狭い。また、保持部１００ｂの逃げ部１０１ｂ及び保持部１００ｃの逃げ部１０２ｂのボビン１００の軸に直角な方向の各幅は、磁極４２ｂの幅よりも広い。
【００５３】
このため、上述のような嵌め込みの過程において、ヨーク部６０の支持ロッド６４が、その先端部にて、コイル素子Ｃｂのボビン１００における保持部１００ｂの逃げ部１０１ｂ内を通り保持部１００ｂと同軸的に位置し、かつ、ヨーク部４０の突起４２ｂが、ボビン１００における保持部１００ｃの逃げ部１０２ｂ内を通り保持部１００ｃと同軸的に位置し、保持部１００ｃがその端面にて腕部４２の平面状内壁４２ａに当接する。これにより、腕部４２の内壁部４２ａを平面状に形成したことを前提に、保持部１００ｃと腕部４２との干渉を招くことなく、コイル素子Ｃｂをヨーク部４０の腕部４２とヨーク部６０との間に確実にかつ円滑に嵌め込むことができる。
【００５４】
このようにコイル素子Ｃｂを嵌め込んだ後は、当該コイル素子Ｃｂのボビン１００の中空部は支持ロッド６４と同軸的に位置しており、ボビン１００の中空部の断面形状は支持ロッド６４の断面形状と上記相似な形状を有する。このため、ボビン１００の中空部内に支持ロッド６４を挿入するように、コイル素子Ｃｂを支持ロッド６４の軸方向に沿い移動させれば、当該コイル素子Ｃｂは、図８にて示すごとく、ボビン１００にて、ヨーク部６０内において支持ロッド６４により同軸的にかつ相対回動不能に支持される。
【００５５】
ここで、上述のようにヨーク部４０の腕部４２の内壁４２ａを平面状に形成したので、ボビン１００の軸方向長さを適正に確保することができ、その結果、コイル素子Ｃｂのコイル１２０としての巻き線の巻き数も適正に確保し得る。
【００５６】
また、以上のように両コイル素子Ｃａ、ＣｂをヨークＹに組み付けた後、指針軸Ｄｂ及び減速歯車列Ｇを図２にて示すごとく、ケーシング部材３０ａに取り付ける。然る後、コイル素子Ｃａの両ターミナル８０、コイル素子Ｃｂの両ターミナル１１０及び指針軸Ｄｂがケーシング部材３０ｂの上壁３１を図３にて示すごとく通るように、ケーシング部材３０ｂをその開口部にてケーシング部材３０ａの開口部に組み付ける。これにより、内機本体Ｄａの組み付けが終了する。
【００５７】
この終了後、図１にて示すごとく各光源１４０が貫通穴部２１の周囲に設けられた配線板２０に各ターミナル８０、１１０及び指針軸Ｄｂを上述のごとく挿通させるようにして、当該配線板２０をケーシング３０の上壁３１上に組み付ける。然る後、目盛盤１０の貫通穴部１１を通して延出される指針軸Ｄｂの先端部に発光指針１３０をその回動基部１３１にて支持する。これにより、当該計器の組み付けが完了する。
【００５８】
以上のように組み付けた当該計器では、コイル素子Ｃａの両ターミナル８０とコイル素子Ｃｂの両ターミナル１１０とが、指針軸Ｄｂの軸から互いに逆方向に遠く離れて位置する。このため、上述のように配線板２０の貫通穴部２１の周囲、換言すれば、指針軸Ｄｂの軸周り近傍に、発光指針１３０用の各光源１４０を容易に配設することができる。
【００５９】
なお、本発明の実施にあたり、上記実施形態において、目盛盤１０として透光性目盛盤を採用し、この透光性目盛盤の裏面に導光板を併設し、この導光板の貫通穴部及び目盛盤１０の貫通穴部１１を通して指針軸Ｄｂを延出させ、かつ、上記導光板の貫通穴部の内周面を断面テーパ状に形成して、各光源１４０の光を上記導光板内にもその貫通穴部の内周面から導入して透光性目盛盤を照明する構成の計器に本発明を適用しても、上記実施形態と同様の作用効果を達成できる。
【００６０】
また、この場合、各光源１４０のすべての光を上記導光板内にその貫通穴部の内周面から導入するようにして、発光指針１３０に代えて通常の指針を採用しても、上記実施形態と同様の作用効果を達成できる。
【００６１】
また、本発明の実施にあたり、上記実施形態において、減速歯車列Ｇを廃止して、マグネットロータＲの回転軸として、指針軸Ｄｂを、回転軸Ｒ１に代えて用いるようにしてもよい。この場合には、指針軸Ｄｂが、図２の回転軸Ｒ１の位置にてケーシング３０の上下両壁に回動可能に支持されることになる。従って、コイル素子Ｃａでは、両ターミナル８０のうち、ボビン７０の保持部７０ｃに設けたターミナル８０は、保持部７０ｂの残りのターミナル部７１ａ（図２にて図示右上側のターミナル部７１ａ）に挿通されて、ケーシング３０の上壁及び配線板２０を通り延出される。一方、コイル素子Ｃｂでは、両ターミナル１１０のうち、ボビン１００の保持部１００ｃに設けたターミナル１１０は、保持部１００ｂの残りのターミナル部１０１ａ（図２にて図示右上側のターミナル部１０１ａ）に挿通されて、ケーシング３０の上壁及び配線板２０を通り延出される。
【００６２】
これによっても、ステップモータＭの両コイル素子Ｃａ、Ｃｂの各ターミナル８０、１１０は、指針軸Ｄｂから遠く離れて位置する構成となる。このような構成においても、上記実施形態にて述べたと同様に、両コイル素子Ｃａ、ＣｂのヨークＹに対する組み付けを円滑にかつ確実に確保できる。
【００６３】
また、本発明の実施にあたり、上記実施形態にて述べたヨークＹにおいて、ヨーク部５０の腕部５３及びヨーク部６０の腕部６３は、例えば、ヨーク部４０の連結部４１に並行な連結部として形成し、この連結部から突起５３ａに代わるロッドを延出させてこのロッドの先端部に突起５３ａの磁極としての機能をもたせるようにしてもよい。
【００６４】
また、本発明の実施にあたり、計器の発光指針に限ることなく、各種機器の回動部材を回動可能に支持する軸を回動する駆動源として、上記実施形態にて述べたステップモータＭを採用しても、上記実施形態にて述べたと同様に、両コイル素子Ｃａ、ＣｂのヨークＹに対する組み付けを円滑にかつ確実に確保できる。
【００６５】
また、本発明の実施にあたり、上記実施形態にて述べたヨーク部４０の各磁極は、その位置を適宜変更してもよい。例えば、連結部４１の突起４１ｂを廃止して、突起４２ｂを連結部４１と腕部４２との境界に設け、突起４３ｂを連結部４１と腕部４３との境界に設けるようにしてもよい。この場合には、両ボビン７０、１００の各逃げ部は少なくとも不要である。
【００６６】
前記実施形態では、減速歯車列Ｇは、ステップモータＭとは別の構成素子として説明したが、この減速歯車列ＧはステップモータＭの構成部材であってもよい。
【００６７】
また、本発明の実施にあたり、乗用車用計器に限ることなく、バス、トラック、自動二輪車等の各種自動車等の車両用計器であってステップモータを回動内機に有する計器に本発明を適用してもよい。
【図面の簡単な説明】
【図１】本発明に係る乗用車用計器の一実施形態を示すの部分破断概略側面図である。
【図２】図１の回動内機を、上側ケーシング部材を除去した状態で示す平面図である。
【図３】図１の回動内機の平面図である。
【図４】図２のヨークの平面図である。
【図５】コイル素子Ｃａをヨーク内においた状態を示す平面図である。
【図６】コイル素子Ｃａをヨーク部５０内に支持する状態を示す平面図である。
【図７】コイル素子Ｃｂをヨーク内においた状態を示す平面図である。
【図８】コイル素子Ｃｂをヨーク部６０内に支持する状態を示す平面図である。
【図９】従来のステップモータのヨークを示す平面図である。
【図１０】図９のヨークにコイル素子を組み付ける場合の平面図である。
【符号の説明】
Ｃａ、Ｃｂ…コイル素子、Ｄａ…内機本体、Ｄｂ…指針軸、Ｇ…減速歯車列、
Ｇ１、Ｇ３…歯車、Ｒ…マグネットロータ、Ｓ…ステータ、Ｙ…ヨーク、
１０…目盛盤、１１、２１…貫通穴部、２０…配線板、
４０、５０、６０…ヨーク部、４１…連結部、４２、４３…腕部、４２ａ、４３ａ…内壁、５４、６４…支持ロッド、７０、１００…ボビン、
７０ｂ、７０ｃ、１００ｂ、１００ｃ…保持部、
７１ａ、７２ａ、１０１ａ、１０２ａ…端部、８０、１１０…ターミナル、
９０、１２０…コイル、１３０…発光指針、１３１…回動基部、
１４０…光源。
【図１】
0003815280.tif 000002
【図２】
0003815280.tif 000003
【図３】
0003815280.tif 000004
【図４】
0003815280.tif 000005
【図５】
0003815280.tif 000006
【図６】
0003815280.tif 000007
【図７】
0003815280.tif 000008
【図８】
0003815280.tif 000009
【図９】
0003815280.tif 000010
【図１０】
0003815280.tif 000011